(57)【特許請求の範囲】
【請求項１】
居室を有する居住階と、前記居住階の上方の区画層によって前記居住階と区画され寄棟状又は方形状の屋根がかけられた小屋裏階と、を備える建物であって、
前記屋根の各下端縁から所定寸法水平方向内側に離隔した位置に設定された仮想線上に複数の束が配置され、前記複数の束によって前記屋根が支持されており、
前記小屋裏階には、前記仮想線の水平方向内側の第一領域と、前記第一領域と連通し前記仮想線の水平方向外側の第二領域と、を有する小屋裏空間が形成されており、
前記第一領域は、前記第二領域に取り囲まれており、
前記第二領域は、前記第一領域を取り囲む周方向において分断されない連続的空間とされており、
前記小屋裏空間には、前記束が独立して立設されており、
前記第一領域の下方に位置する前記区画層に開口が形成されており、
前記小屋裏空間の天井は、前記屋根の形状に対応した寄棟状の前記屋根の棟部又は方形状の前記屋根の頂部に達する傾斜天井であり、
前記開口は、平面視ロ字状であって、寄棟状の前記傾斜天井の棟部の下方又は方形状の前記傾斜天井の頂部の下方に位置しており、
前記束は、方形状の前記屋根の前記区画層における隅棟位置、又は、寄棟状の前記屋根の前記区画層における前記開口側の端縁から離隔した位置、に立設されており、
前記傾斜天井の四面を照らすように、四方に照明装置が設けられている、建物。
【発明の詳細な説明】
【技術分野】
【０００１】
本発明は、建物に関する。
【背景技術】
【０００２】
都市部等では、高さ規制や敷地面積等の制約から建物のボリュームを確保し難く、居室の空間的広がりを確保することが困難な場合が多い。このような制約が多い都市部等において、寄棟屋根等の勾配屋根を有する建物を建築する場合、小屋裏空間と居室とを連通させることにより、高さ方向に居室の空間的広がりを確保することが有効である。勾配屋根を有する建物として、例えば以下の特許文献１には、寄棟屋根の棟の下方に配置した複数の束によって屋根パネルを支持する屋根構造を有する建物が開示されている。
【先行技術文献】
【特許文献】
【０００３】
【特許文献１】特開平８−２６０６０７号公報
【発明の概要】
【発明が解決しようとする課題】
【０００４】
しかしながら、特許文献１に記載されたような屋根構造を有する建物では、建物内部空間を最も高く確保できる棟の下方に複数の束が配置されており、居室を小屋裏空間と連通させて空間的広がりを得る上で束の配置が障害となっていた。
【０００５】
本発明は、かかる事情に鑑みてなされたものであり、小屋裏空間を有効活用して居室の空間的広がりを確保できる建物を提供することを目的とする。
【課題を解決するための手段】
【０００６】
前記目的を達成するため、本発明に係る建物は、居室を有する居住階と、居住階の上方の区画層によって居住階と区画され寄棟又は方形の屋根がかけられた小屋裏階と、を備える建物であって、屋根の各下端縁から所定寸法水平方向内側に離隔した位置に設定された仮想線上に複数の束が配置され、これら複数の束によって屋根が支持されており、小屋裏階には、仮想線の水平方向内側の第一領域と、第一領域と連通し仮想線の水平方向外側の第二領域と、を有する小屋裏空間が形成されており、小屋裏空間には、束が独立して立設されており、第一領域の下方に位置する区画層に開口が形成されているものである。
【０００７】
かかる構成を採用すると、屋根の各下端縁よりも水平方向内側にある仮想線上に複数の束を配置し、これら複数の束によって屋根を支持し、小屋裏階に形成された小屋裏空間の中央（仮想線の水平方向内側）の領域の下方に位置する区画層に開口を形成しているので、開口を介して居室と小屋裏空間の中央領域とを連通させることができる。小屋裏空間は、束の内側（仮想線の水平方向内側）の第一領域だけでなく、束の外側（仮想線の水平方向外側）の第二領域まで広がっており、この小屋裏空間に居室を連通させることにより、居室の空間的広がりを得ることができる。
【０００８】
本発明に係る建物において、小屋裏空間の天井を、屋根形状に対応した傾斜天井とすることができる。
【０００９】
かかる構成を採用すると、屋根形状に対応した傾斜天井を小屋裏空間の天井として採用するため、小屋裏空間に水平天井を採用する場合に比べて、小屋裏空間の高さをより大きく確保することができ、より一層居室の空間的広がりを得ることができる。
【００１０】
また、本発明に係る建物において、寄棟状の傾斜天井の棟部の下方又は方形状の傾斜天井の頂部の下方に位置している開口を採用することができる。
【００１１】
かかる構成を採用すると、傾斜天井の最も高い部分（棟部、頂部）の下方に開口があるため、居室の空間的広がりをより一層確保することができる。
【００１２】
また、本発明に係る建物において、軒の出がない屋根を採用することができる。
【００１３】
軒の出が無い場合、屋根勾配及び軒先高さが同じで軒の出が有る場合に比べて小屋裏空間が小さくなってしまい、小屋裏空間を小屋裏収納スペースとして活用することは難しい。しかし、小屋裏空間を下方の居室と連通させることによって、小屋裏空間を居室の空間的広がりを得るためのスペースとして有効活用することができる。
【発明の効果】
【００１４】
本発明によれば、小屋裏空間を有効活用して居室の空間的広がりを確保できる建物を提供することが可能となる。
【図面の簡単な説明】
【００１５】
【図１】本発明の第一実施形態に係る建物の正面図である。
【図２】図１に示す建物の断面図である。
【図３】図２のIII部分の拡大図である。
【図４】本発明の第一実施形態に係る建物の小屋裏階の平面図である。
【図５】本発明の第一実施形態に係る建物の二階の平面図である。
【図６】本発明の第二実施形態に係る建物の小屋裏階の平面図である。
【発明を実施するための形態】
【００１６】
以下、図面を参照して、本発明の各実施形態について説明する。なお、以下の各実施形態はあくまでも好適な適用例であって、本発明の適用範囲がこれに限定されるものではない。
【００１７】
＜第一実施形態＞
最初に、図１〜図５を用いて、本発明の第一実施形態に係る建物１について説明する。
【００１８】
本実施形態に係る建物１は、図１及び図２に示すように、軒の出がない、すなわち軒天板が設けられていない方形屋根ＲSを有する二階建ての工業化住宅である。建物１は、図示していない寝室等を有する一階１０と、図２及び図５に示すようにリビング（居室）２１を有する居住階としての二階２０と、図２及び図４に示すように二階２０の上方の区画層３０によって二階２０と区画され方形屋根ＲSがかけられた小屋裏階４０と、を備えている。区画層３０は、図３に示すように、小屋裏階４０の床面から二階２０の天上面までの層であって、床仕上げ材３０ａ、軽量気泡コンクリートパネルからなる床スラブ３０ｂ、床スラブ３０ｂを下方から支持する梁３０ｃ、天井仕上げ材３０ｄ等によって構成されている。
【００１９】
方形屋根ＲSの四つの下端縁ＥRの各々から所定寸法Ｗだけ水平方向内側に離隔した位置には、図４に二点鎖線で示したような平面視矩形状の仮想線ＬVが設定されており、この仮想線ＬV上に複数の束５０が配置されている。所定寸法Ｗ（方形屋根ＲSの各下端縁ＥRと仮想線ＬVとの間の距離）は、建物１の大きさに応じて適宜変更することができ、例えば２１３５ｍｍ程度に設定することができる。束５０は、仮想線ＬV上で、所定寸法（例えば３６６０ｍｍ）以下の間隔をおいて配置されており、方形屋根ＲSの頂部ＴRの下方には配置されていない。方形屋根ＲSの頂部ＴRは、平面視矩形状の仮想線ＬVの内側に位置している。各束５０は、図３に示すように、区画層３０を構成する梁３０ｃの上部に設けられており、その周囲を石膏ボード５１で柱巻き状に覆われてクロスで仕上げられている。また、各束５０は、小屋裏階４０において独立して立設されている。方形屋根ＲSは、図２に示すように、これら複数の束５０によって支持されている。
【００２０】
小屋裏階４０の一部には、図２〜図４に示すように、仮想線ＬVの水平方向内側の第一領域４１と、第一領域４１と連通し仮想線ＬVの水平方向外側の第二領域４２と、を有する小屋裏空間４３が形成されている。小屋裏空間４３の天井は、図２に示すように、方形屋根ＲSの形状に対応した傾斜天井Ｃとされている。第一領域４１の下方に位置する区画層３０には、図２〜図４に示すように、開口（吹き抜け部）３１が形成されている。開口３１の寸法は、建物１の大きさに応じて適宜変更することができ、例えば４２７０ｍｍ×３６６０ｍｍ程度に設定することができる。開口３１には、図４に示すように、十字状に梁３２が設けられている。梁３２は、その周囲を石膏ボードで梁巻き状に覆われており、クロスで仕上げられている。開口３１は、図２に示すように、方形状の傾斜天井Ｃの頂部ＴCの下方に位置している。本実施形態においては、四面の傾斜天井Ｃを照らすように、四方に図示されていない照明装置が設けられている。かかる照明装置により、夜間において、傾斜天井Ｃが浮かび上がるように照明されて、空間高さが強調されることとなる。小屋裏空間４３の下方には、開口３１を囲むように平面視ロ字状の区画層３０が形成されている。区画層３０により、傾斜天井Ｃの下端部及び照明装置がリビング２１から視認されないことによって、リビング２１の空間的広がりと高さがより強調される。
【００２１】
開口（吹き抜け部）３１の下方には、図２及び図５に示すように、二階２０のリビング２１が配置されている。一方、平面視ロ字状の区画層３０の下方には、図５に示すように、トイレ２２、洗面所２３、浴室２４、キッチン２５、収納２６等が配置されている（図２においては、トイレ２２等の図示を省略している）。このように吹き抜けによって天井が高い領域に居室であるリビング２１を配置し、ロ字状の区画層３０の下方の天井が低い領域に非居室である水廻り等を配置することにより、各室を適切にゾーニングして建物内部空間を有効活用できる。また、二階２０のリビング２１には、図５に示すように、天地高さのフォールディング窓（全面開放可能な折りたたみ形式の窓）２７が設けられている。フォールディング窓２７の前方にはベランダ２８が設けられており、ベランダ２８の床面とリビング２１の床面の高さは略同一である。
【００２２】
図５に示すように、建物１の外壁ラインはフォールディング窓２７においてセットバックしており、外壁ラインは入隅部を形成している。入隅部を有する外壁ラインに対応させて屋根を設けた場合には、屋根形状が複雑になってしまうが、本実施形態では入隅部の上方に軒の出を設けることによって、図１や図４に示すように屋根形状を単純な方形にすることができる。また、図４に示すように、入隅部の上方に設けた軒の出の先端部には、更に庇部材４４が設けられており、方形の屋根形状を維持したまま、フォールディング窓２７の前方において、奥行きのある軒下空間をベランダ２８に形成することができる。
【００２３】
以上説明した実施形態に係る建物１においては、方形屋根ＲSの各下端縁ＥRよりも水平方向内側にある仮想線ＬV上に複数の束５０を配置し、これら複数の束５０によって方形屋根ＲSを支持し、小屋裏階４０の一部に形成された小屋裏空間４３の中央（仮想線ＬVの水平方向内側）の領域４１（第一領域）の下方に位置する区画層３０に開口３１を形成しているので、開口３１を介して二階２０のリビング２１と小屋裏空間４３の中央領域４１（第一領域）とを連通させることができる。小屋裏空間４３は、束５０の内側（仮想線ＬVの水平方向内側）の第一領域４１だけでなく、束５０の外側（仮想線ＬVの水平方向外側）の第二領域４２まで広がっており、この小屋裏空間４３にリビング２１を連通させることにより、リビング２１の空間的広がりを得ることができる。
【００２４】
また、以上説明した実施形態に係る建物１においては、屋根形状に対応した傾斜天井Ｃを小屋裏空間４３の天井として採用するため、水平天井を採用する場合に比べて、小屋裏空間４３の高さをより大きく確保することができ、より一層リビング２１の空間的広がりを得ることができる。
【００２５】
また、以上説明した実施形態に係る建物１においては、傾斜天井Ｃの最も高い部分（頂部ＴC）の下方に開口３１があるため、リビング２１の空間的広がりをより一層確保することができる。
【００２６】
また、以上説明した実施形態に係る建物１においては、軒の出がない方形屋根ＲSを採用している。このように軒の出が無い場合、屋根勾配及び軒先高さが同じで軒の出が有る場合に比べて小屋裏空間４３が小さくなってしまい、小屋裏空間４３を小屋裏収納スペースとして活用することは難しい。しかし、小屋裏空間４３を下方のリビング２１と連通させることによって、小屋裏空間４３をリビング２１の空間的広がりを得るためのスペースとして有効活用することができる。
【００２７】
＜第二実施形態＞
次に、図６を用いて、本発明の第二実施形態に係る建物について説明する。本実施形態に係る建物は、第一実施形態に係る建物１と比較して屋根及び小屋裏階の構成を主に変更したものであり、その他の構成については第一実施形態と実質的に同一である。このため、主たる変更箇所を中心に説明し、その他の構成については図示を省略する。
【００２８】
本実施形態に係る建物は、図６に示されるように、軒の出がない、すなわち軒天板が設けられていない寄棟屋根ＲHを有する二階建ての工業化住宅であり、図示していない寝室等を有する一階と、図示していないリビングを有する居住階としての二階と、二階の上方の区画層３０Ａによって二階と区画され寄棟屋根ＲHがかけられた小屋裏階４０Ａと、を備えている。
【００２９】
寄棟屋根ＲHの四つの下端縁ＥRの各々から所定寸法Ｗだけ水平方向内側に離隔した位置には、図６に二点鎖線で示したような平面視矩形状の仮想線ＬVが設定されており、この仮想線ＬV上に複数の束５０Ａが配置されている。束５０Ａは、仮想線ＬV上で、所定の間隔をおいて配置されており、寄棟屋根ＲHの棟ＴRの下方には配置されていない。すなわち、寄棟屋根ＲHの棟ＴRは、平面視矩形状の仮想線ＬVの内側に位置している。寄棟屋根ＲHは、これら複数の束５０Ａによって支持されている。
【００３０】
小屋裏階４０Ａには、図６に示すように、仮想線ＬVの水平方向内側の第一領域４１Ａと、第一領域４１Ａと連通し仮想線ＬVの水平方向外側の第二領域４２Ａと、を有する小屋裏空間４３Ａが形成されている。小屋裏空間４３Ａの天井は、寄棟屋根ＲHの形状に対応した傾斜天井とされている。第一領域４１Ａの下方に位置する区画層３０Ａには、図６に示すように、開口（吹き抜け部）３１Ａが形成されている。開口３１Ａは、寄棟状の傾斜天井の棟部の下方に位置している。小屋裏空間４３Ａの下方には、開口３１Ａを囲むように平面視ロ字状の区画層３０Ａが形成されている。
【００３１】
開口（吹き抜け部）３１Ａの下方には、第一実施形態と同様に、図示していない二階のリビングが配置されており、平面視ロ字状の区画層３０Ａの下方には、図示していないトイレ、洗面所、浴室、キッチン、収納等が配置されている。このように吹き抜けによって天井が高い領域に居室であるリビングを配置し、ロ字状の区画層３０Ａの下方の天井が低い領域に非居室である水廻り等を配置することで、各室を適切にゾーニングして建物内部空間を有効活用できる。
【００３２】
以上説明した実施形態に係る建物においては、寄棟屋根ＲHの各下端縁ＥRよりも水平方向内側にある仮想線ＬV上に複数の束５０Ａを配置し、これら複数の束５０Ａによって寄棟屋根ＲHを支持し、小屋裏階４０Ａに形成された小屋裏空間４３Ａの中央（仮想線ＬVの水平方向内側）の領域４１Ａ（第一領域）の下方に位置する区画層３０Ａに開口３１Ａを形成しているので、開口３１Ａを介して二階のリビングと小屋裏空間４３Ａの中央領域４１Ａ（第一領域）とを連通させることができる。小屋裏空間４３Ａは、束５０Ａの内側（仮想線ＬVの水平方向内側）の第一領域４１Ａだけでなく、束５０Ａの外側（仮想線ＬVの水平方向外側）の第二領域４２Ａまで広がっており、この小屋裏空間４３Ａにリビングを連通させることにより、リビングの空間的広がりを得ることができる。
【００３３】
また、以上説明した実施形態に係る建物においては、屋根形状に対応した傾斜天井を小屋裏空間４３Ａの天井として採用するため、水平天井を採用する場合に比べて、小屋裏空間４３Ａの高さをより大きく確保することができ、より一層リビングの空間的広がりを得ることができる。
【００３４】
また、以上説明した実施形態に係る建物においては、傾斜天井の最も高い部分（棟部）の下方に開口３１Ａがあるため、リビングの空間的広がりをより一層確保することができる。
【００３５】
また、以上説明した実施形態に係る建物においては、軒の出がない寄棟屋根ＲHを採用している。このように軒の出が無い場合、屋根勾配及び軒先高さが同じで軒の出が有る場合に比べて小屋裏空間４３Ａが小さくなってしまい、小屋裏空間４３Ａを小屋裏収納スペースとして活用することは難しい。しかし、小屋裏空間４３Ａを下方のリビングと連通させることによって、小屋裏空間４３Ａをリビングの空間的広がりを得るためのスペースとして有効活用することができる。
【００３６】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【００３７】
１…建物
２０…二階（居住階）
２１…リビング（居室）
３０・３０Ａ…区画層
３１・３１Ａ…開口
４０・４０Ａ…小屋裏階
４１・４１Ａ…第一領域
４２・４２Ａ…第二領域
４３・４３Ａ…小屋裏空間
５０…束
Ｃ…傾斜天井
ＥR…（屋根の）下端縁
ＬV…仮想線
ＲH…寄棟屋根
ＲS…方形屋根
【図１】
0006697221.tif 000002
【図２】
0006697221.tif 000003
【図３】
0006697221.tif 000004
【図４】
0006697221.tif 000005
【図５】
0006697221.tif 000006
【図６】
0006697221.tif 000007